(57)【要約】      （修正有）【課題】  リモコンにおけるＬＥＤを簡単に位置決めできると共に、このＬＥＤを保持することができ、リモコンのデザインを反映させることができ、作業負担を軽減できる。【解決手段】  リモコン１内に配置される基板２上にＬＥＤ３を保持して位置決めするブッシュ４が配置され、ブッシュには、ＬＥＤの本体部３ａを保持する断面略半円形の凹部４ａと、ＬＥＤの略Ｌ字形の端子部３ｂの水平部分を保持する溝部４ｂと、端子部の先端の垂下部３ｄを挿入する貫通孔部４ｃが設けられ、ブッシュの先端部の両側に基板に形成された係止孔２ａに係入される係止爪部４ｄを有する取付用脚部４ｅを設け、ブッシュにＬＥＤを保持させ、ブッシュの取付用脚部の係止爪部を基板の係止孔２ａに係入係止し、ＬＥＤの端子部の先端の垂下部を基板に形成された挿入孔２ｂに挿入してブッシュによりＬＥＤを位置決めして基板の裏面側でＬＥＤの端子部を半田付け固定する。【選択図】  図２
2007266995.tif 000002
【特許請求の範囲】
【請求項１】
リモコン内に配置された基板にＬＥＤが実装されてリモコンの窓部に前記ＬＥＤの先端が臨むようにしたリモコンにおけるＬＥＤの実装構造において、前記基板上に前記ＬＥＤを保持して位置決めするためのブッシュが配置され、このブッシュには、前記ＬＥＤの本体部を保持するための断面略半円形の凹部と、前記ＬＥＤの２本の略Ｌ字形の端子部の水平部分を保持するための２条の溝部と、前記端子部の先端の垂下部を挿入するための貫通孔部が設けられ、更に、前記ブッシュの先端部の両側には、前記基板に形成された２つの係止孔に係入される係止爪部を有する取付用脚部が設けられ、前記ブッシュに前記ＬＥＤを保持させた状態で、前記ブッシュの取付用脚部の係止爪部を前記基板の係止孔に係入係止するとともに、前記ＬＥＤの２本の端子部の先端の垂下部を前記基板に形成された２つの挿入孔に挿入して前記ブッシュにより前記ＬＥＤを位置決めした状態で前記基板の裏面側で前記ＬＥＤの２本の端子部を半田付け固定するように構成したことを特徴とするリモコンにおけるＬＥＤの実装構造。
【請求項２】
リモコン内に配置された基板にＬＥＤが実装されてリモコンの窓部に前記ＬＥＤの先端が臨むようにしたリモコンにおけるＬＥＤの実装構造において、前記基板上に前記ＬＥＤを保持して位置決めするためのブッシュが配置され、このブッシュには、前記ＬＥＤの本体部を保持するための凹部と、前記ＬＥＤの２本の略Ｌ字形の端子部の水平部分を保持するための２条の溝部と、前記端子部の先端の垂下部を挿入するための貫通孔部が設けられ、更に、前記ブッシュの先端部には、前記基板に形成された係止孔に係入係止される取付部が設けられ、前記ブッシュに前記ＬＥＤを保持させた状態で、前記ブッシュの取付部を前記基板の係止孔に係入係止するとともに、前記ＬＥＤの２本の端子部の先端の垂下部を前記基板に形成された２つの挿入孔に挿入して前記ブッシュにより前記ＬＥＤを位置決めした状態で前記基板の裏面側で前記ＬＥＤの２本の端子部を半田付け固定するように構成したことを特徴とするリモコンにおけるＬＥＤの実装構造。
【請求項３】
前記ブッシュの取付部は、ブッシュの先端部の下面に垂設され、下端に前記基板の係止孔に係入係止される係止部を有するリブで形成された請求項２に記載のリモコンにおけるＬＥＤの実装構造。
【発明の詳細な説明】
【技術分野】
【０００１】
本発明は、リモコン内に配置された基板にＬＥＤが実装されてリモコンの窓部に前記ＬＥＤの先端が臨むようにしたリモコンにおけるＬＥＤの実装構造に関するものである。
【背景技術】
【０００２】
従来、この種のリモコンにおけるＬＥＤの実装構造は、図５（ａ）（ｂ）に示すように、リモコン１０１内に配置された基板１０２にＬＥＤ１０３を実装するには、ＬＥＤ１０３の本体部１０３ａが浮いた状態で略Ｌ字形の端子部１０３ｂの端部を基板１０２に形成された挿入孔１０２ａに挿入して基板１０２の裏面側で端子部１０３ｂを半田付けで固定していた。
【０００３】
ところが、ＬＥＤ１０３の本体部１０３ａを浮かせた状態で半田付けすることは困難であり、リモコン１０１の窓部１０１ａにこのＬＥＤ１０３の本体部１０３ａの先端を位置させることが難しいという問題があった。このため、治具を必要とし、ＬＥＤ１０３の本体部１０３ａの位置のばらつきが発生する原因となるという問題があった。
【０００４】
第１の従来技術を図６（ａ）（ｂ）に示す。この従来の遠隔操作装置は、図６（ａ）（ｂ）に示すように、赤外線発光素子２０８と基板２０５を内蔵する外郭２１０と、運転切／入ボタン２１５と、運転切／入ボタン２１５の下方に位置すると共にその押し下げ動作に応じて動作する接点２０７を有し、運転切／入ボタン２１５の一側の左右に軸２１３を設け、左右の軸２１３を外郭２１０の一部で回転自在に支持するもので、運転切／入ボタン２１５のサイズを大きくしても、運転切／入ボタン２１５は軸２１３を中心に回転動作するため、運転切／入ボタン２１５の端面押しの場合も接点２０７は確実に基板２０５におしつけられて、確実に電気信号を送信することができる。（例えば、特許文献１参照）。
【０００５】
ところが、これにおいては、赤外線発光素子２０８が斜めに設置され、位置決めされていないと共に、保持されてなくて不安定であるという問題があった。
【０００６】
第２の従来技術を図７、図８に示す。この従来の送信器は、図７、図８に示すように、底面の一部に開放孔を設けると共に、この開放孔の内周縁の底面側に弾性体からなるＯリング３４８が密着する平面部３４９ならびにこの平面部３４９の一部から外周方向に向かって切り欠き状の空洞を形成した係合用の凹部３５２を設けた上面開放の下ケース３３１と、赤外線発光ダイオード３２５、３２６を含む回路部品を装着して下ケース３３１内に収容された印刷配線基板３２１と、上面に押圧操作部３３２を備えて下ケース３３１の上面に結合された上ケース３３０と、下ケース３３１に設けた係合用の凹部３５２にはまり込む係合用の凸部３４５を外周の一部に設けると共に、Ｏリング３４８が密着する平面部を設けて下ケース３３１の底面側からはめ込まれたコイン型の電池３２７をＯリング３４８を介して固定するように下ケース３３１の底面の開放孔にネジ止め結合された電池カバー３４１からなる。（例えば、特許文献２参照）。
【０００７】
ところが、これにおいては、赤外線発光ダイオード３２５、３２６が位置決めされていないと共に、保持されてなくて不安定であるという問題があった。
【特許文献１】特開２００５−１９７９１７号公報
【特許文献２】特開平９−１２１３９２号公報
【発明の開示】
【発明が解決しようとする課題】
【０００８】
本発明は、上記従来の問題に鑑みてなされたものであって、リモコンにおけるＬＥＤを位置決めすることができると共に、このＬＥＤを保持することができ、リモコンのデザインを反映させることができ、しかも、ＬＥＤの位置決めを簡単に行うことができて作業負担を軽減できるリモコンにおけるＬＥＤの実装構造を提供することを目的としている。
【課題を解決するための手段】
【０００９】
本発明は、上記課題を解決するために提案されたものであって、請求項１に記載の発明は、リモコン内に配置された基板にＬＥＤが実装されてリモコンの窓部に前記ＬＥＤの先端が臨むようにしたリモコンにおけるＬＥＤの実装構造において、前記基板上に前記ＬＥＤを保持して位置決めするためのブッシュが配置され、このブッシュには、前記ＬＥＤの本体部を保持するための断面略半円形の凹部と、前記ＬＥＤの２本の略Ｌ字形の端子部の水平部分を保持するための２条の溝部と、前記端子部の先端の垂下部を挿入するための貫通孔部が設けられ、更に、前記ブッシュの先端部の両側には、前記基板に形成された２つの係止孔に係入される係止爪部を有する取付用脚部が設けられ、前記ブッシュに前記ＬＥＤを保持させた状態で、前記ブッシュの取付用脚部の係止爪部を前記基板の係止孔に係入係止するとともに、前記ＬＥＤの２本の端子部の先端の垂下部を前記基板に形成された２つの挿入孔に挿入して前記ブッシュにより前記ＬＥＤを位置決めした状態で前記基板の裏面側で前記ＬＥＤの２本の端子部を半田付け固定するように構成したことを特徴としている。
【００１０】
請求項２に記載の発明は、リモコン内に配置された基板にＬＥＤが実装されてリモコンの窓部に前記ＬＥＤの先端が臨むようにしたリモコンにおけるＬＥＤの実装構造において、前記基板上に前記ＬＥＤを保持して位置決めするためのブッシュが配置され、このブッシュには、前記ＬＥＤの本体部を保持するための凹部と、前記ＬＥＤの２本の略Ｌ字形の端子部の水平部分を保持するための２条の溝部と、前記端子部の先端の垂下部を挿入するための貫通孔部が設けられ、更に、前記ブッシュの先端部には、前記基板に形成された係止孔に係入係止される取付部が設けられ、前記ブッシュに前記ＬＥＤを保持させた状態で、前記ブッシュの取付部を前記基板の係止孔に係入係止するとともに、前記ＬＥＤの２本の端子部の先端の垂下部を前記基板に形成された２つの挿入孔に挿入して前記ブッシュにより前記ＬＥＤを位置決めした状態で前記基板の裏面側で前記ＬＥＤの２本の端子部を半田付け固定するように構成したことを特徴としている。
【００１１】
請求項３に記載の発明は、請求項２に記載の発明において、前記ブッシュの取付部は、ブッシュの先端部の下面に垂設され、下端に前記基板の係止孔に係入係止される係止部を有するリブで形成されたものである。
【発明の効果】
【００１２】
請求項１に記載の発明によれば、ＬＥＤをブッシュで位置決めされた状態に保持でき、この状態でリモコン内に配置される基板に実装することができてリモコンのデザインを反映させることができ、しかも、ＬＥＤの位置決めを簡単に行うことができて作業負担を軽減できる。更に、ＬＥＤの本体部がブッシュの断面略半円形の凹部に保持されるから、ＬＥＤを安定して保持することができる。また、ブッシュがその両側の取付用脚部の係止爪部を基板の係止孔に係入係止されるから、ブッシュが基板から不用意に外れることがなく、このブッシュによりＬＥＤを基板上に安定した状態で保持することができる。
【００１３】
請求項２に記載の発明によれば、ＬＥＤをブッシュで位置決めされた状態に保持でき、この状態でリモコン内に配置される基板に実装することができてリモコンのデザインを反映させることができ、しかも、ＬＥＤの位置決めを簡単に行うことができて作業負担を軽減できる。しかも、ブッシュの取付部を基板の係止孔に係入係止するから、ブッシュが基板から不用意に外れることがなく、このブッシュによりＬＥＤを安定した状態で保持することができる。
【００１４】
請求項３に記載の発明によれば、ブッシュの取付部が、ブッシュの先端部の下面に垂設された係止部を有するリブで形成されているから、このリブの係止部を係入係止する係止孔が基板のブッシュの下側に位置することにより、基板のスペースを余分に取ることがない利点がある。また、このリブの係止部が基板の係止孔に係入係止されるから、ブッシュが基板から不用意に外れることがなく、このブッシュによりＬＥＤを安定した状態で保持することができる。
【発明を実施するための最良の形態】
【００１５】
以下、本発明に係るリモコンにおけるＬＥＤの実装構造の実施の形態について、図を参照しつつ説明する。
【００１６】
図１は本発明の第１実施形態のリモコンにおけるＬＥＤの実装構造を示す基板とブッシュとＬＥＤの分解斜視図である。
【００１７】
この第１実施形態のリモコンにおけるＬＥＤの実装構造は、図１に示すように、リモコン１（図３参照）内に配置される基板２とＬＥＤ３とこのＬＥＤ２が保持されるブッシュ４とが備えられている。ブッシュ４には、ＬＥＤ３の本体部３ａを保持するための断面略半円形状の凹部４ａと、ＬＥＤ３の２本の略Ｌ字形の端子部３ｂ、３ｂの水平部分３ｃ、３ｃが嵌め入れられる２条の溝部４ｂ、４ｂと、端子部３ｂの先端の垂下部３ｄ、３ｄが挿入される２つの貫通孔部４ｃ、４ｃが設けられている。更に、ブッシュ４の先端部の両側には、基板２に形成された２つの係止孔２ａ、２ａに係入される係止爪部４ｄ、４ｄを有する取付用脚部４ｅ、４ｅが外向きに開いた状態で設けられている。基板２には、係止孔２ａ、２ａとＬＥＤの端子部３ｂの先端が挿入される挿入孔２ｂ、２ｂとが形成されている。
【００１８】
図２は第１実施形態における基板とブッシュとＬＥＤの取付手順を示し、（ａ）はＬＥＤをブッシュに取り付けた状態を示す斜視図、（ｂ）は基板にブッシュとＬＥＤを取り付けた状態の斜視図である。
【００１９】
図２（ａ）に示すように、ブッシュ４にＬＥＤ３が取り付けられる。即ち、ブッシュ４の断面略半円形状の凹部４ａにＬＥＤ３の本体部３ａが嵌められ、ブッシュ４の２条の溝部４ｂ、４ｂにＬＥＤ３の略Ｌ字形の端子部３ｂ、３ｂの水平部分３ｃ、３ｃが嵌め入れられ、端子部３ｂ、３ｂの垂下部３ｄ、３ｄがブッシュ４の貫通孔部４ｃ、４ｃに挿入されている。
【００２０】
図２（ｂ）に示すように、ブッシュ４に保持されたＬＥＤ３の端子部３ｂ、３ｂの先端が基板２の挿入孔２ｂ、２ｂに挿入されると共に、ブッシュ４の取付用脚部４ｅ、４ｅの係止爪部４ｄ、４ｄが基板２の係止孔２ａ、２ａに係入係止されて、ＬＥＤ３がブッシュ４により基板２上に位置決めされ、この状態でＬＥＤ３の端子部３ｂ、３ｂの先端が基板２の裏面側で半田付け固定される。
【００２１】
図３は内部に第１実施形態におけるブッシュで保持されたＬＥＤが実装された基板を配置したリモコンの斜視図である。
【００２２】
図３に示すように、リモコン１内に基板２とブッシュ４とＬＥＤ３が配置されると、ＬＥＤ３はブッシュ４により基板２に位置決めされているので、このＬＥＤ３の本体部３ａの先端がリモコン１に設けられた窓部１ａに臨むように配置される。
【００２３】
この第１実施形態によれば、ＬＥＤ３をブッシュ４で位置決めされた状態に保持でき、この状態でリモコン１内に配置される基板２に実装することができてリモコン１のデザインを反映させることができ、しかも、ＬＥＤ３の位置決めを簡単に行うことができて作業負担を軽減できる。更に、ＬＥＤ３の本体部３ａがブッシュ４の断面略半円形の凹部４ａに保持されるから、ＬＥＤ３を安定して保持することができる。また、ブッシュ４がその両側の取付用脚部４ｅ、４ｅの係止爪部４ｄ、４ｄを基板２の係止孔２ａ、２ａに係入係止されるから、ブッシュ４が基板２から不用意に外れることがなく、このブッシュ４によりＬＥＤ３を基板２上に安定した状態で保持することができる。
【００２４】
図４は第２実施形態のリモコンにおけるＬＥＤの実装構造を示し、（ａ）はＬＥＤをブッシュに取り付けた状態の斜視図、（ｂ）は基板にブッシュとＬＥＤを取り付けた状態の斜視図である。尚、上記した第１実施形態と同一部材、同一箇所には、同一符号を付してその説明を省略する。
【００２５】
この第２実施形態のリモコンにおけるＬＥＤの実装構造は、図４（ａ）（ｂ）に示すように、ブッシュ４の先端部の下面にリブ４ｆが垂設され、このリブ４ｆの下端に、基板２に形成された係止孔２ｃに係入係止される係止部４ｇが設けられている。このブッシュ４のリブ４ｆの係止部４ｇを基板２の係止孔２ｃに係入係止すると共に、ＬＥＤ３の端子部３ｂ、３ｂを基板２の挿入孔２ｂ、２ｂに挿入して、ＬＥＤ３の端子部３ｂ、３ｂの先端を基板２の裏面側で半田付け固定される。
【００２６】
この第２実施形態によれば、ブッシュ４の先端部の下面に垂設されたリブ４ｆの係止部４ｇを係入係止する係止孔２ｃが基板２のブッシュ４の下側に位置することにより、基板２のスペースを余分に取ることがない利点がある。また、このリブ４ｆの係止部４ｇが基板２の係止孔２ｃに係入係止されるから、ブッシュ４が基板２から不用意に外れることがなく、このブッシュ４によりＬＥＤ３を安定した状態で保持することができる。
【図面の簡単な説明】
【００２７】
【図１】本発明の第１実施形態のリモコンにおけるＬＥＤの実装構造を示す基板とブッシュとＬＥＤの分解斜視図である。
【図２】第１実施形態における基板とブッシュとＬＥＤの取付手順を示し、（ａ）はＬＥＤをブッシュに取り付けた状態を示す斜視図、（ｂ）は基板にブッシュとＬＥＤを取り付けた状態の斜視図である。
【図３】内部に第１実施形態におけるブッシュで保持されたＬＥＤが実装された基板を配置したリモコンの斜視図である。
【図４】第２実施形態のリモコンにおけるＬＥＤの実装構造を示し、（ａ）はＬＥＤをブッシュに取り付けた状態の斜視図、（ｂ）は基板にブッシュとＬＥＤを取り付けた状態の斜視図である。
【図５】従来のリモコンにおけるＬＥＤの実装構造を示し、（ａ）は基板にＬＥＤを取り付けた状態の斜視図、（ｂ）はＬＥＤを取り付けた基板をリモコン内に配置した状態の部分斜視図である。
【図６】従来の遠隔操作装置を示し、（ａ）はその正面図、（ｂ）はその内部構造を示す断面図である。
【図７】従来の送信器を示す分解斜視図である。
【図８】図７に示す送信器の上ケースを除いた状態の拡大平面図である。
【符号の説明】
【００２８】
１        リモコン
１ａ      窓部
２        基板
２ａ      係止孔
２ｂ      挿入孔
２ｃ      係止孔
３        ＬＥＤ
３ａ      本体部
３ｂ      端子部
３ｃ      水平部分
３ｄ      垂下部
４        ブッシュ
４ａ      凹部
４ｂ      溝部
４ｃ      貫通孔部
４ｄ      係止爪部
４ｅ      取付用脚部
４ｆ      リブ
４ｇ      係止部
【図１】
2007266995.tif 000003
【図２】
2007266995.tif 000004
【図３】
2007266995.tif 000005
【図４】
2007266995.tif 000006
【図５】
2007266995.tif 000007
【図６】
2007266995.tif 000008
【図７】
2007266995.tif 000009
【図８】
2007266995.tif 000010